(57)【要約】  【課題】部品点数の削減、及び施工作業の簡素化を実現することができるボーダー材を提供する。  【解決手段】通常の敷設姿勢である第１敷設姿勢（Ｐ）と、この第１敷設姿勢（Ｐ）とは異なる敷設姿勢である第２敷設姿勢（Ｑ）とから選択して敷設できるように構成したボーダー材１であり、第１敷設姿勢（Ｐ）において本体部２の上面２１により第１ボーダー部床面ＢＦ１を形成するとともに、第２敷設姿勢（Ｑ）において各脚部３における上方を向く面３ａと本体部２における上方を向く面２ａとにより第２ボーダー部床面ＢＦ２を形成し、これら第１ボーダー部床面ＢＦ１と第２ボーダー部床面ＢＦ２とを水平方向に隣接させてボーダー部床面ＢＦを形成し得るように構成した。【選択図】図２
2005256572.tif 000002
【特許請求の範囲】
【請求項１】
建築床面上に直接又は間接的に敷設され屋内床面を形成する屋内床面形成部材の外縁と建築物の壁面との間に形成されるボーダー部に敷設され、当該ボーダー部における前記建築床面の上方にボーダー部床面を形成し得るボーダー材であって、
通常の敷設姿勢である第１敷設姿勢と、当該第１敷設姿勢とは異なる敷設姿勢である第２敷設姿勢とから選択して且つ前記屋内床面の高さに略一致させて敷設できるように構成し、
前記第１敷設姿勢において前記建築床面に対して略平行な第１ボーダー部床面を形成し得る上面を有する概略平板状の本体部と、当該本体部の略鉛直下方に突出し且つ前記建築床面に接地する脚部とを具備してなり、
一対のボーダー材を、前記各本体部を前記建築床面に対して略鉛直とし且つ一方のボーダー材の脚部が他方のボーダー材の本体部に接離する方向に水平移動し得るように対向配置した前記第２敷設姿勢において、前記各脚部における上方を向く面と本体部における上方を向く面とにより前記建築床面に対して略平行な第２ボーダー部床面を形成するとともに、前記一対のボーダー材を水平方向に沿って相対移動させることにより、前記本体部間の離間距離を変更可能に構成してなり、
前記第１敷設姿勢における前記第１ボーダー部床面と、前記第２敷設姿勢における前記第２ボーダー部床面とを水平方向に隣接させて又はそれぞれ単独で前記ボーダー部床面を形成し得るように構成していることを特徴とするボーダー材。
【請求項２】
前記第１敷設姿勢における前記脚部の下端から前記本体部の前記上面までの高さ寸法を、前記第２敷設姿勢における前記本体部の高さ寸法の１以上の略整数倍に設定している請求項１記載のボーダー材。
【請求項３】
前記脚部が前記第１敷設姿勢において前記本体部の略鉛直下方に突出する突起部を所定間隔で複数有するものであり、隣り合う突起部の間に前記第１敷設姿勢において少なくとも下方に開口する開口部を形成し、前記第２敷設姿勢において前記開口部に他方のボーダー材の前記脚部が有する前記突起部が挿入し得るように構成している請求項１又は２記載のボーダー材。
【請求項４】
前記開口部の開口巾寸法を、前記第１敷設姿勢において下方に向かって漸次幅広となるように設定している請求項３記載のボーダー材。
【請求項５】
略同一形状をなす複数の前記突起部を、前記第１敷設姿勢における前記本体部の水平方向に沿って所定間隔で並列的に配置することにより前記脚部を構成している請求項３又は４記載のボーダー材。
【請求項６】
前記本体部と前記脚部とを一体成形している請求項１、２、３、４又は５記載のボーダー材。
【請求項７】
請求項１乃至請求項６記載のボーダー材を水平方向に複数連続して設け、隣接する前記ボーダー材間に、これらボーダー材同士を切断可能に連結する連結部を形成したことを特徴とするボーダー材連設体。
【請求項８】
前記連結部が、前記ボーダー材の前記本体部間を連結するものである請求項７記載のボーダー材連設体。
【請求項９】
前記連結部の肉厚を、前記本体部の肉厚より薄く設定している請求項７又は８記載のボーダー材連設体。
【請求項１０】
前記連結部が隣接する前記ボーダー材を屈曲可能に連結するものである請求項７、８又は９記載のボーダー材連設体。
【請求項１１】
前記第２敷設姿勢における前記一対のボーダー材の本体部間の離間距離を、前記第１敷設姿勢における一の前記本体部の両端に位置する前記連結部間の巾に略相当する距離と、一の連結部を挟んだ一対の本体部の両端に位置する前記連結部間の巾に略相当する距離との間で調節可能に構成している請求項７、８、９又は１０記載のボーダー材連設体。
【発明の詳細な説明】
【技術分野】
【０００１】
本発明は、建築床面上に敷設される例えば床パネル等の屋内床面形成部材の外縁と建築物の壁面との間に形成されるボーダー部に敷設され、このボーダー部に前記建築床面に対して略平行なボーダー部床面を形成し得るボーダー材、及びこのボーダー材を複数設けてなるボーダー材連設体に関するものである。
【背景技術】
【０００２】
近時、建築物の建築床面上に例えば床パネル等の屋内床面形成部材を多数枚敷き詰めて、建築床面の上方に建築床面に対して略平行な屋内床面を形成する二重床構造を採用するフロアが普及している。そして、床パネルの外縁と建築物の壁面との間に形成される床パネルでは好適に敷き詰めることができないボーダー部にボーダー材を敷設し、ボーダー部における建築床面の上方に建築床面に対して略平行なボーダー部床面を形成するようにしている。その一例として、例えば、予め巾の異なるボーダー材を複数種類用意するとともに、ボーダー部の形状や面積を確定させる割付作業を行い、複数種類のボーダー材を適宜組み合わせてボーダー部に敷き詰めることによりボーダー部床面を形成する態様（例えば特許文献１参照）、或いは建築床面に対して水平方向に摺動可能に嵌合し得る一対のボーダー材を対向するように敷設し、これら一対のボーダー材同士の嵌合深さを適宜調節することによってボーダー部に合致し得るボーダー部床面を形成するようにしたものが知られている（例えば特許文献２）。
【特許文献１】特開平７−２６７００号公報（第１〜２頁、第２図、第４図）
【特許文献２】実開平５−１６９７１号公報（第２〜３頁、第１図、第２図）
【発明の開示】
【発明が解決しようとする課題】
【０００３】
しかしながら、前者の場合は、複数種類のボーダー材が必要となり、部品点数の増加を招来するとともに、ボーダー部に合致するように複数種類のボーダー材を適宜組み合わせて敷設する作業が煩雑であるという不具合が生じる。また、事前に割付作業を行わなければならず、すぐにボーダー材を敷設することができず作業性が著しく損なわれるものである。一方、後者においては、一対のボーダー材同士の嵌合深さを適宜調節して、ボーダー部に合致し得るボーダー部床面を形成するように構成しているものの、当然のことながら一対のボーダー材同士の嵌合状態が保たれる範囲でのみボーダー材同士の嵌合深さを調節できるに過ぎないという設計上の制約がある。そのため、一対のボーダー材同士の嵌合状態が保たれる範囲より大きなスペースを有するボーダー部に適用する場合には、さらに一対のボーダー材を対向するように敷設し、これらボーダー材同士の嵌合深さをも調節しなければならず、敷設作業が極めて面倒なものとなる。このように、ボーダー部の大きさによってボーダー部に合致し得るボーダー部床面を簡単に形成することができない場合があり、今ひとつ使い勝手に優れないものである。また、ボーダー材を敷設してもなおボーダー部に微小隙間が生じる場合に、その微小隙間を閉塞し得るカバー部材を用いて対応することも考えらているが、その場合、カバー部材の一部をボーダー材の上面に載置した姿勢で配設するため、ボーダー部において、ボーダー材とカバー部材との間に段差が生じ、敷設後の仕上がりを良好なものとすることができないという不具合が生じる。加えて、ボーダー材の他に、専用のカバー部材が必要となり、やはり部品点数が増加するという上述と同様の不具合が生じる。
【０００４】
本発明は、このような課題に着目してなされたものであって、主たる目的は、同一種類のボーダー材のみを用いてボーダー部を好適に埋めることができ、部品点数の削減を有効に図るとともに、ボーダー部に合致するボーダー部床面を簡単に形成することができるボーダー材、及びこのボーダー材を複数連続して設けたボーダー材連設体を提供することにある。
【課題を解決するための手段】
【０００５】
すなわち、本発明のボーダー材は、建築床面上に直接又は間接的に敷設され屋内床面を形成する屋内床面形成部材の外縁と建築物の壁面との間に形成されるボーダー部に敷設され、当該ボーダー部における前記建築床面の上方にボーダー部床面を形成し得るものであって、通常の敷設姿勢である第１敷設姿勢と、この第１敷設姿勢とは異なる敷設姿勢である第２敷設姿勢とから選択して且つ前記屋内床面の高さに略一致させて敷設できるように構成し、前記第１敷設姿勢において前記建築床面に対して略平行な第１ボーダー部床面を形成し得る上面を有する概略平板状の本体部と、この本体部の略鉛直下方に突出し且つ前記建築床面に接地する脚部とを具備してなり、一対のボーダー材を、各本体部を前記建築床面に対して略鉛直とし且つ一方のボーダー材の脚部が他方のボーダー材の本体部に接離する方向に水平移動し得るように対向配置した第２敷設姿勢において、前記各脚部における上方を向く面と本体部における上方を向く面とにより前記建築床面に対して略平行な第２ボーダー部床面を形成するとともに、前記一対のボーダー材を水平方向に沿って相対移動させることにより、前記本体部間の離間距離を変更可能に構成してなり、前記第１敷設姿勢における前記第１ボーダー部床面と、前記第２敷設姿勢における前記第２ボーダー部床面とを水平方向に隣接させて又はそれぞれ単独で前記ボーダー部床面を形成し得るように構成していることを特徴とする。
【０００６】
ここで、「建築床面上に直接又は間接的に敷設される屋内床面形成部材」とは、建築床面上に直接敷設されるいわゆる置敷タイプのもの、又は建築床面上に置かれた支持脚に支持され建築床面から所定距離離間した状態で敷設されるタイプのもの、これら双方を含む概念である。
【０００７】
このようなものであれば、ボーダー材を建築床面上に第１敷設姿勢で敷設した場合には本体部の上面が第１ボーダー部床面として機能するとともに、一対のボーダー材を第２敷設姿勢で敷設した場合には前記各脚部における上方を向く面と各本体部における上方を向く面とが第２ボーダー部床面として機能するため、同一構成を有するボーダー材の敷設姿勢を変更するだけで第１ボーダー部床面及び第２ボーダー部床面を簡単に形成することができ、ボーダー部のスペースに対応させて、第１ボーダー部床面のみでボーダー部床面を形成する態様、第２ボーダー部床面のみでボーダー部床面を形成する態様、または第１ボーダー部床面と第２ボーダー部床面とを水平方向に隣接させてボーダー部床面を形成する態様のうちから適宜選択することによりボーダー部に合致するボーダー部床面を形成することができる。しかも、第１ボーダー部床面及び第２ボーダー部床面またはそれぞれ単独で形成されるボーダー部床面が、屋内床面形成部材によって形成される屋内床面の高さに対応するため、ボーダー部床面と屋内床面との間に段差が発生せず、良好な仕上がりを実現することができる。このように、ボーダー材とは別に、例えばボーダー部に生じる微小隙間を閉塞し得るカバー部材等の部材を用いることなく、一種類のボーダー材のみを用いてボーダー部に隙間なく敷き詰めることができ、部品点数の削減を有効に図ることができる。特に、第２敷設姿勢と比較して単純な敷設姿勢である第１敷設姿勢のみでボーダー部に好適に敷き詰めることができる場合には、一又は複数のボーダー材を第１敷設姿勢で敷設するようにすれば、第1ボーダー部床面のみで極めて簡単にボーダー部に合致するボーダー部床面を形成することができ、一方、第１敷設姿勢では敷き詰めることができないボーダー部のスペースに対してのみ、一対のボーダー材を第２敷設姿勢で敷設し、本体部間の離間距離を適宜調節してボーダー部に合致する第２ボーダー部床面を形成するようにすれば、第２敷設姿勢にある前記一対のボーダー材を水平方向に沿って相対移動させる作業を最小限に抑えることができ、施工手順の簡素化、施工効率の向上を図ることができる。以上のように、同一種類のボーダー材をその敷設姿勢を変更して敷設するという従来にはない斬新な発想に基づき、部品点数の削減、及び施工作業の簡素化とを同時に実現することができ、実用性に優れたものとなる。
【０００８】
特に、前記第１敷設姿勢における前記脚部の下端から前記本体部の前記上面までの高さ寸法を、前記第２敷設姿勢における前記本体部の高さ寸法の１以上の略整数倍に設定していれば、第１敷設姿勢にあるボーダー材の高さ寸法に合わせて、第２敷設姿勢にあるボーダー材を一段又は二段以上に積み重ねることによって、第１敷設姿勢における第１ボーダー部床面と、第２敷設姿勢における第２ボーダー部床面とを略同じ高さ位置にすることができ、第１ボーダー部床面と第２ボーダー部床面とを水平方向に隣接させた場合であっても、第１ボーダー部床面と第２ボーダー部床面との間に段差が生じず、敷設後の仕上がりを良好なものとすることができる。
【０００９】
特に、前記脚部が、前記第１敷設姿勢において前記本体部の略鉛直下方に突出する突起部を所定間隔で複数有するものであり、隣り合う突起部の間に前記第１敷設姿勢において少なくとも下方に開口する開口部を形成し、前記第２敷設姿勢において前記開口部に他方のボーダー材の前記脚部が有する前記突起部が挿入し得るように構成していれば、第２敷設姿勢における一対のボーダー材の脚部同士を密接に関連付けることができ、その結果、第２敷設姿勢における一対のボーダー材同士の組付状態を良好なものとすることができる。
【００１０】
第２敷設姿勢において、一方のボーダー材の突起部を、他方のボーダー材の開口部にスムーズに挿入できるようにするためには、前記開口部の開口巾寸法を、前記第１敷設姿勢において下方に向かって漸次幅広となるように設定していることが好ましい。
【００１１】
脚部の具体的な実施態様としては、略同一形状をなす複数の前記突起部を、前記第１敷設姿勢における前記本体部の水平方向に沿って所定間隔で並列的に配置することにより構成しているものが挙げられる。
【００１２】
また、ボーダー材が、前記本体部と前記脚部とを一体成形しているものであれば、製造の簡素化及びコストの削減を有効に図ることができる。
【００１３】
一方、本発明のボーダー材連設体は、上記効果を奏するボーダー材を水平方向に複数連続して設け、隣接する前記ボーダー材間に、これらボーダー材同士を切断可能に連結する連結部を形成したことを特徴とする。
【００１４】
このように、ボーダー材を複数連設してなるボーダー材連設体であれば、施工時に単体のボーダー材を一つ一つ運搬する態様と比較して運搬効率の向上、ひいては施工効率の向上に資する。また、ボーダー部にボーダー材連設体を第１敷設姿勢で敷き詰めるとともに、第１敷設姿勢にあるボーダー材連設体では敷き詰めることのできない隙間がボーダー部に生じた場合には、連結部で切断したボーダー材自体を第２敷設姿勢で敷設して、一対のボーダー材を相対移動させて本体部間の距離を調節することにより前記隙間にも好適に敷き詰めることができる。
【００１５】
特に、前記連結部が、前記ボーダー材の前記本体部間を連結するものであれば、ボーダー材連設体を第１敷設姿勢で敷設しつつ、余剰部分のボーダー材については連結部を介して上方から切断することが可能であり、その場合わせでボーダー材連設体を敷設することができ、従来のような割付作業が不要となり、敷設作業の大幅な簡素化を図ることができる。
【００１６】
連結部での切断作業をより簡単に行えるようにするためには、連結部の肉厚を、前記本体部の肉厚より薄く設定すればよい。加えて、前記連結部が、隣接する前記ボーダー材を屈曲可能に連結するものであれば、ボーダー部においてもボーダー材連設体を第１敷設姿勢で敷設するとともに、壁面に当たり得る領域に位置するボーダー材（余剰部分）を連結部を介して適宜折り曲げることができ、その場で余剰部分を連結部を介して切断することができ、極めて使い勝手に優れたものとなる。
【００１７】
また、前記第２敷設姿勢における前記一対のボーダー材の本体部間の離間距離を、前記第１敷設姿勢における一の前記本体部の両端に位置する前記連結部間の巾に略相当する距離と、一の連結部を挟んだ一対の本体部の両端に位置する前記連結部間の巾に略相当する距離との間で調節可能に構成していれば、ボーダー部の大きさが、一の前記本体部の両端に位置する連結部間の巾より大きく、且つ一の連結部を挟んだ一対の本体部の両端に位置する連結部間の巾より小さくなるように、ボーダー材連設体を前記第１敷設姿勢で敷設することにより、このボーダー材の外縁と壁面との離間距離を第2敷設姿勢に敷設した一対のボーダー材の本体部間の離間距離を調節することによって確実に埋め得ることができる。
【発明の効果】
【００１８】
以上説明したように本発明のボーダー材によれば、同一種類のボーダー材をその敷設姿勢を変更するだけでボーダー部床面を構成する第１ボーダー部床面及び第２ボーダー部床面を形成することができ、これら第1ボーダー部床面と第2ボーダー部床面とを適宜組み合わせて又はそれぞれ単独でボーダー部に合致するボーダー部床面を簡単に形成することが可能となるとともに、ボーダー材とは異なる別の専用部材（例えばボーダー部に生じる微小隙間を閉塞し得るカバー部材等）を用いる必要がなく、部品点数の削減をも有効に図ることができる。
【発明を実施するための最良の形態】
【００１９】
以下、本発明の一実施形態を、図面を参照して説明する。
【００２０】
本発明に係るボーダー材１は、図１に示すように、建築床面Ｆ上に複数枚敷き詰められる屋内床面形成部材たる床パネルＰの外縁Ｐａと建築物の壁面Ｈとの間に形成されるボーダー部Ｂに敷設されるものであり、ボーダー部Ｂにおける建築床面Ｆの上方に、通常の敷設姿勢である第１敷設姿勢（Ｐ）と、第１敷設姿勢（Ｐ）とは異なる敷設姿勢である第２敷設姿勢（Ｑ）とから適宜選択して敷設することにより、床パネルＰによって形成される屋内床面ＩＦの高さに対応するボーダー部床面ＢＦを形成し得るように構成したものである。本実施形態においては、このボーダー材１を水平方向に複数連続して設けることにより本発明に係るボーダー材連設体Ａを構成している。
【００２１】
まず、床パネルＰについて簡単に説明する。この床パネルＰは、例えば、縦横の長さをそれぞれ５００ｍｍ、高さ寸法を５０ｍｍに設定した樹脂製のものであり、上面板Ｐ１と、この上面板Ｐ１の周縁から下方に一体に延出した側板Ｐ２とを備えた下方に開口した中空体状のものである。上面板Ｐ１の下面及び側板Ｐ２の内側面には図示しない複数の補強リブが設けられ、一定の強度を保持するように設定している。そして、この床パネルＰを建築床面Ｆ上に直接敷設することにより、上面板Ｐ１が建築床面Ｆの上方に位置して建築床面Ｆに略平行な屋内床面ＩＦを形成する。なお、この床パネルＰは、複数の単位パネルをマトリクス状に設けることにより構成したものであってもよい。このような床パネルＰを、建築床面Ｆ上に水平方向に隣接させて順次敷設していく。しかして、建築物の壁面Ｈと床パネルＰの外縁Ｐａとの間に、この床パネルＰでは敷き詰められない隙間であるボーダー部Ｂが形成される場合がある。このボーダー部Ｂに本発明のボーダー材１またはボーダー材連設体Ａを敷設することにより、ボーダー部Ｂにおける建築床面Ｆ上に、この建築床面Ｆに略平行なボーダー部床面ＢＦを形成するように構成している。
【００２２】
ボーダー材連設体Ａは、図２及び図３（なお、図３（ａ）は第１敷設姿勢におけるボーダー材連設体の平面図、（ｂ）は同正面図、（ｃ）は同側面図である）に示すように、水平方向に沿って複数列に配設した概略直方体状のボーダー材１と、隣接するボーダー材１同士を切断可能に連結する連結部Ｒとから構成されている。
【００２３】
各ボーダー材１は、通常の敷設姿勢である第１敷設姿勢（Ｐ）において建築床面Ｆに対して略平行な上面２１を有する概略平板状の本体部２と、本体部２の下面２２から略鉛直下方に突出し第１敷設姿勢（Ｐ）において建築床面Ｆに下端が接地し得る脚部３とを一体成形した樹脂製のものである。本体部２は、平面視略矩形状をなし、本実施形態においては、長手寸法を略５００ｍｍに設定し、長手方向に直交する方向（以下「短手方向」と称す）の長さを略５０ｍｍに設定してある。しかして、前記第１敷設姿勢（Ｐ）において、この本体部２の上面２１が建築床面Ｆに対して略平行な第１ボーダー部床面ＢＦ１を形成する。脚部３は、略同一形状をなす複数の突起部３１を本体部２の長手方向に沿って等間隔で並列的に配置することにより構成され、正面視において隣接する突起部３１の間に下方に開口する開口部３２を形成したものである。各突起部３１は、図３（ｂ）（ｃ）等に図示するように側面視略矩形状をなす概略平板状のものであり、正面視において先端部（第１敷設姿勢（Ｐ）における下端部）に向かって漸次巾狭となるように設定されたものである。本実施形態においては、これら突起部３１を正面視櫛歯状に設けている。具体的には、正面視における各突起部３１の基端部（第１敷設姿勢（Ｐ）における上端部）の巾を略５ｍｍに設定し、先端部の巾を略３ｍｍに設定している。これら各突起部３１を先端部に向かって漸次巾狭となるように設定することにより、開口部３２の開口巾寸法が、突起部３１の先端部、すなわち開口部３２の開口縁部３２ａに向かって漸次巾広となっている。なお、本体部２の長手方向に沿って隣り合う突起部３１同士の基端部における離間距離は略１０ｍｍに設定されている。また、各突起部３１は、図３（ｃ）に示すように、側面視においても先端部（第１敷設姿勢（Ｐ）における下端部）に向かって僅かに漸次巾狭となるように設定している。具体的には、側面視における各突起部３１の基端部（第１敷設姿勢（Ｐ）における上端部）の巾を略５０ｍｍに設定し、先端部の巾を略４８ｍｍに設定している。以上の構成をなす各ボーダー材１は、本体部２の上面２１から脚部３の下端までの高さ寸法、すなわち第１敷設姿勢（Ｐ）におけるボーダー材１の高さ寸法を略５０ｍｍに設定し、本体部２の短手寸法と略同一寸法となるように設定してある。また、本実施形態においては、第１敷設姿勢（Ｐ）におけるボーダー材１の高さ寸法が、前記床パネルＰの高さ寸法と略同じ寸法となっているため、ボーダー材１を床パネルＰに隣接して第１敷設姿勢（Ｐ）で敷設した場合、第１ボーダー部床面ＢＦ１と屋内床面ＩＦとが略面一となる。
【００２４】
連結部Ｒは、図３（ａ）、同図（ｃ）に示すように、隣接するボーダー材１の本体部２同士を連結するものであり、その上面が本体部２の上面２１と面一であるとともに、本体部２よりも若干薄肉に設定され、この連結部Ｒが折れ曲がることにより隣り合うボーダー材１同士を屈曲可能に連結している。この連結部Ｒは、隣接するボーダー材１の間に略１ｍｍの巾で且つボーダー材１の長手方向に沿って略直線状に形成されている。
【００２５】
本実施形態において、ボーダー材連設体Ａは、前記連結部Ｒを介してボーダー材１を短手方向に沿って５枚連続して設けてなり、長手寸法を略５００ｍｍ、短手寸法を略２５４ｍｍ、高さ寸法を略５０ｍｍに設定している。また、上述したように連結部Ｒの上面が本体部２の上面２１と面一であるため、ボーダー材連設体Ａの上面がフラット状をなしている。以上の構成を有するボーダー材連設体Ａは、一枚のボーダー材１毎、あるいは一または複数の連結部Ｒを介して複数枚連続してなるボーダー材１毎に連結部Ｒで切断可能に設定され、その短手寸法をボーダー材１一枚分に相当する寸法からボーダー材１五枚分に相当する寸法、つまり略５０ｍｍから略２５４ｍｍの間で調節可能に構成している。しかして、連結部Ｒで切断されたボーダー材１は、前記第１敷設姿勢（Ｐ）とは異なる、例えば第１敷設姿勢（Ｐ）から鉛直面内で約９０度回転させた敷設姿勢である第２敷設姿勢（Ｑ）で敷設することができるように設定されている。具体的には、一対のボーダー材１を、図４に示すように、各本体部２が建築床面Ｆに対して略鉛直となり且つ突起部３１の突出方向が建築床面Ｆと略平行となるように敷設する向きを変更し、各脚部３に形成した開口部３２の開口縁部３２ａが他方のボーダー材１の本体部２側に位置するように位置づけ、一方のボーダー材１の突起部３１を他方のボーダー材１の開口縁部３２ａから開口部３２に挿入して各ボーダー材１の突起部３１が他方のボーダー材１の本体部２に接離する方向に水平移動し得るように対向配置した第２敷設姿勢（Ｑ）とすることもできるように設定されている。この第２敷設姿勢（Ｑ）においては、各ボーダー材１の突起部３１が他方のボーダー材１の開口部３２に入り込んだ状態となり、各脚部３における上方を向く面３ａと各本体部２における上方を向く面２ａとにより建築床面Ｆに対して略平行な第２ボーダー部床面ＢＦ２を形成している。そして、図５に図示するように、一対のボーダー材１を水平方向に沿って相対移動させることにより、前記本体部２間の離間距離を変更可能に構成している。具体的には、本体部２同士を相寄る方向に相対移動させて一方の突起部３１を他方の本体部２の下面２２に当接または近接させた場合に本体部２間の離間距離が最小となり（図５（ａ））、本体部２同士を相離反する方向に相対移動させて突起部３１が開口部３２から抜出しない範囲において突起部３１の先端部を開口部３２の開口縁部３２ａ付近に位置させた場合に本体部２間の離間距離が最大となる（同図（ｂ））。本体部２間の離間距離が最小である場合、その離間距離は、一方のボーダー材１の突起部３１の先端部から本体部２の上面２１までの寸法に他方のボーダー材の本体部２の肉厚分を足した寸法に略等しく、一方、本体部２間の離間距離が最大である場合、その離間距離は、ボーダー材１の突起部３１の先端部から本体部２の上面２１までの寸法の２倍よりも若干小さい寸法に略等しい。ここで、ボーダー材１の突起部３１の先端部から本体部２の上面２１までの寸法とは、第１敷設姿勢（Ｐ）におけるボーダー材の高さ寸法そのものであり、本実施形態においては、前述した通り第１敷設姿勢（Ｐ）におけるボーダー材の高さ寸法と、一枚のボーダー材１における本体部２の短手寸法とを略同一寸法に設定している。以上のことより、第２敷設姿勢（Ｑ）における本体部２間の離間距離は、ボーダー材１の短手寸法、換言すれば一の本体部２の両端に位置する連結部Ｒ間の巾に略相当する距離と、ボーダー材１の短手寸法の２倍より僅かに小さい寸法、換言すれば一の連結部Ｒを挟んで隣接する一対のボーダー材１の本体部２の両端に位置する連結部Ｒ間の巾に相当する距離との間で変更可能に構成しているということがいえる。また、第２敷設姿勢（Ｑ）におけるボーダー材１の高さ寸法は、建築床面Ｆに対して鉛直姿勢にある本体部２の高さ寸法、つまり第１敷設姿勢（Ｐ）における本体部２の短手寸法となり、本実施形態においては略５０ｍｍとなる。この高さ寸法は、前述した第１敷設姿勢（Ｐ）で敷設したボーダー材１の高さ寸法と同一寸法であり、ボーダー材１を第１敷設姿勢（Ｐ）で敷設したボーダー材１に隣接して第２敷設姿勢（Ｑ）で敷設した場合、第２ボーダー部床面ＢＦ２と第１ボーダー部床面ＢＦ１とが略面一となる。さらに、第２敷設姿勢（Ｑ）におけるボーダー材１の高さ寸法が、前記床パネルＰの高さ寸法とも略同じ寸法となっているため、ボーダー材１を床パネルＰに隣接して第２敷設姿勢（Ｑ）で敷設した場合、第２ボーダー部床面ＢＦ２と屋内床面ＩＦとが略面一となる。
【００２６】
次に、このような構成をなすボーダー材連設体Ａ及びボーダー材１を敷設する手順を説明する。先ず、前記床パネルＰを建築床面Ｆ上に順次敷設し、建築床面Ｆの上方に、この建築床面Ｆに略平行な屋内床面ＩＦを形成する。しかして、図１及び図６に示すように、建築物の壁面Ｈ近傍領域において、壁面Ｈと床パネルＰの外縁Ｐａとの間に床パネルＰでは敷き詰められないボーダー部Ｂが生じ、このボーダー部Ｂにボーダー材連設体Ａ及び、又はボーダー材１自体を敷設する。具体的には、ボーダー材連設体Ａを床パネルＰに隣接させて第１敷設姿勢（Ｐ）で敷設しつつ、ボーダー部Ｂのスペースに合わせて余剰部分のボーダー材１を連結部Ｒを介して建築床面Ｆから離れる方向に屈曲させて上方から切断する。この場合、第１敷設姿勢（Ｐ）で敷設したボーダー材連設体Ａの外縁Ａａと壁面Ｈとの離間距離が、一の本体部２の両端に位置する連結部Ｒ間の離間距離より長く、且つ一の連結部Ｒを挟んで隣接する一対のボーダー材１の本体部２の両端に位置する連結部Ｒ間の離間距離より短くなるように設定する。なお、本実施形態では、ボーダー材連設体Ａを連結部Ｒで切断することなくそのまま第１敷設姿勢（Ｐ）で敷設した状態において、ボーダー材連設体Ａの外縁Ａａと壁面Ｈとの離間距離が上記条件に該当するため、ボーダー材連設体Ａを切断部Ｒで切断作業を行う必要がない。しかして、第１敷設姿勢（Ｐ）で敷設したボーダー材連設体Ａの上面、つまりボーダー材連設体Ａを構成する各ボーダー材１の本体部２の上面２１が前記第１ボーダー部床面ＢＦ１を形成する。さらに本実施形態においては、本体部２の上面２１に面一な連結部Ｒの上面も第１ボーダー部床面ＢＦ１を形成する。なお、ボーダー材連設体Ａを連結部Ｒで切断する際は、カッター等を用いてもよいし、屈曲を繰り返して折り切るようにしてもよい。次いで、ボーダー部Ｂにボーダー材１を第２敷設姿勢（Ｑ）で敷設する。具体的には、一対のボーダー材１を、ボーダー材連設体Ａの外縁Ａａと壁面Ｈとの間に前記第２敷設姿勢（Ｑ）で敷設し、引き続き、一方のボーダー材１の本体部２が第１敷設姿勢（Ｐ）で敷設したボーダー材連設体Ａの外縁Ａａに当接し且つ他方のボーダー材１の本体部２が壁面Ｈに当接するように、一対のボーダー材１を水平方向に沿って相対移動させて本体部２間の離間距離を調節する。その結果、第２敷設姿勢（Ｑ）で敷設した一対のボーダー材１によりボーダー材連設体Ａの外縁Ａａと壁面Ｈとの間が隙間なく敷き詰められるとともに、これら第２敷設姿勢（Ｑ）にある一対のボーダー材１の各脚部３における上方を向く面３ａと本体部２における上方を向く面２ａとにより第２ボーダー部床面ＢＦ２を形成する。そして前述したように、この第２敷設姿勢（Ｑ）におけるボーダー材１の高さ寸法と、第１敷設姿勢（Ｐ）にあるボーダー材１の高さ寸法とが同一寸法であるため、第２ボーダー部床面ＢＦ２と前記第１ボーダー部床面ＢＦ１とが略面一になるとともに、床パネルＰの高さ寸法と第１敷設姿勢（Ｐ）におけるボーダー材１の高さ寸法とを略同一寸法に設定しているため、床パネルＰによって形成される屋内床面ＩＦと第１ボーダー部床面ＢＦ１及び第２ボーダー部床面ＢＦ２とが略面一となる。以上の作業により、水平方向に隣接してなる第２ボーダー部床面ＢＦ２と前記第１ボーダー部床面ＢＦ１とによって、ボーダー部Ｂにおける建築床面Ｆの上方に、建築床面Ｆに略平行なボーダー部床面ＢＦが形成される。このようにして、床パネルＰ、ボーダー材連設体Ａ及びボーダー材１を建築床面Ｆ上に敷設した後、カーペットタイル等の図示しない表面仕上部材を床パネルＰ、ボーダー材連設体Ａ及びボーダー材１上に貼着して施工を完了する。
【００２７】
このように、本実施形態に係るボーダー材１は、敷設姿勢を、通常の敷設姿勢である第１敷設姿勢（Ｐ）と、この第１敷設姿勢（Ｐ）とは異なる敷設姿勢である第２敷設姿勢（Ｑ）とから選択可能に構成し、第１敷設姿勢（Ｐ）において建築床面Ｆに対して略平行な第１ボーダー部床面ＢＦ１を形成し得る上面２１を有する本体部２と、この本体部２の略鉛直下方に突出し且つ建築床面Ｆに接地する脚部３とを備え、一対のボーダー材１を、各本体部２を建築床面Ｆに対して略鉛直とし且つ一方のボーダー材１の脚部３が他方のボーダー材１の本体部２に接離する方向に水平移動し得るように対向配置した第２敷設姿勢（Ｑ）において、各脚部３における上方を向く面３ａと本体部２における上方を向く面２ａとにより建築床面Ｆに対して略平行な第２ボーダー部床面ＢＦ２を形成するとともに、前記一対のボーダー材１を水平方向に沿って相対移動させることにより、前記本体部２間の離間距離を変更可能に構成し、前記第１ボーダー部床面ＢＦ１と前記第２ボーダー部床面ＢＦ２とを水平方向に隣接させてボーダー部床面ＢＦを形成し得るように構成しているため、ボーダー部Ｂの建築床面Ｆ上に単純な敷設姿勢である第１敷設姿勢（Ｐ）で敷設することにより第１ボーダー部床面ＢＦ１を簡単に形成することができるとともに、壁面Ｈと床パネルＰの外縁Ｐａまたは第1敷設姿勢で敷設したボーダー材１の外縁（上記実施形態におけるボーダー材連設体Ａの外縁Ａａ）との間に生じる第１敷設姿勢（Ｐ）ではボーダー材１を敷き詰めることができない隙間には、一対のボーダー材１を第２敷設姿勢（Ｑ）で敷設し、本体部２間の離間距離を変更することによって第２ボーダー部床面ＢＦ２の巾を前記隙間に合致するように設定することができる。以上のように、ボーダー部Ｂに生じる第１敷設姿勢（Ｐ）では敷き詰めることができない隙間を埋め得るカバー部材等の部材を用いることなく、部品点数の削減を有効に図ることができる。しかも、ボーダー材１の敷設する向きを変更して第２敷設姿勢（Ｑ）とし、この第２敷設姿勢（Ｑ）にある前記一対のボーダー材１を水平方向に沿って相対移動させるという簡単な作業で第２ボーダー部床面ＢＦ２の巾を、壁面Ｈと第１ボーダー部床面ＢＦ１との離間距離にちょうど合致するように設定することができ、使い勝手に優れたものとなる。加えて、第１ボーダー部床面ＢＦ１及び第２ボーダー部床面ＢＦ２の高さ位置が、床パネルＰによって形成される屋内床面ＩＦの高さ位置と略同一であるため、第１ボーダー部床面ＢＦ１及び第２ボーダー部床面ＢＦ２によって形成されるボーダー部床面ＢＦと屋内床面ＩＦとの間に段差が発生せず、良好な仕上がりを実現することができる。
【００２８】
特に、第１敷設姿勢（Ｐ）における脚部３の下端から本体部２の前記上面２１までの高さ寸法を、第２敷設姿勢（Ｑ）における本体部２の高さ寸法と略同一寸法に設定しているため、第１ボーダー部床面ＢＦ１と第２ボーダー部床面ＢＦ２とを水平方向に隣接させた場合に、第１ボーダー部床面ＢＦ１と第２ボーダー部床面ＢＦ２との間に段差が生じず、敷設後の仕上がりを良好なものとすることができる。
【００２９】
また、前記脚部３が、第１敷設姿勢（Ｐ）において本体部２の略鉛直下方に突出する突起部３１を等間隔で複数有するものであり、隣り合う突起部３１の間に、第２敷設姿勢（Ｑ）において他方のボーダー材１の突起部３１が挿入し得る開口部３２を形成しているため、第２敷設姿勢（Ｑ）において一方のボーダー材１の突起部３１を他方のボーダー材１の開口部３２に挿入することによってこれら一対のボーダー材１の脚部３同士を密接に関連付けることができ、各ボーダー材１の位置ずれを抑制することが可能となる。さらに、開口部３２を形成することにより、ボーダー材１自体の軽量化を図ることができるとともに、ボーダー材１を第１敷設姿勢（Ｐ）で敷設した場合に、開口部３２に嵌まり込む程度の部分的な建築床面Ｆの不陸を吸収することができる。
【００３０】
加えて、開口部３２の開口巾寸法を、第１敷設姿勢（Ｐ）において下方に向かって漸次幅広となるように設定しているため、第２敷設姿勢（Ｑ）において各ボーダー材１の突起部３１を相対する他方のボーダー部Ｂの開口部３２に挿入する操作をよりスムーズに行うことができる。
【００３１】
さらに、同一形状をなす複数の突起部３１を本体部２の長手方向に沿って所定間隔で並列的に配置することにより前記脚部３を構成しているため、比較的簡単に脚部３を形成することができるとともに、脚部３全体の強度を有効に高めることができる。さらに、前記本体部２と前記脚部３とを一体成形しているため、製造の簡素化及びコストの削減を図ることができる。
【００３２】
また、本実施形態に係るボーダー材連設体Ａは、上述した効果を奏するボーダー材１を水平方向に複数連続して設け、隣接する前記ボーダー材１間にこれらボーダー材１同士を切断可能に連結する連結部Ｒを形成しているため、単体のボーダー材１を一つ一つ運搬する場合と比較して運搬効率が向上するとともに、本実施形態においては複数のボーダー材１をひとまとめにして第１敷設姿勢（Ｐ）で敷設することができ、施工効率の向上にも資する。また、ボーダー材連設体Ａを第１敷設姿勢（Ｐ）で敷き詰め、余剰部分のボーダー材１については連結部Ｒで切断することができボーダー材連設体Ａの大きさを任意の大きさに設定することが可能となり、実用性に優れたものとなる。加えて、第１敷設姿勢（Ｐ）にあるボーダー材連設体Ａでは敷き詰めることのできないボーダー部Ｂに対しては、連結部Ｒを介して切断したボーダー材１を第２敷設姿勢（Ｑ）で敷設して、一対のボーダー材１を相対移動させて本体部２間の距離を調節することによりボーダー部Ｂを好適に埋めることができる。このように、一種類のボーダー材連設体Ａのみであらゆるボーダー部Ｂにも対応することが可能となり、部品点数の削減に資する。
【００３３】
しかも、連結部Ｒが、前記ボーダー材１の前記本体部２間を連結するものであるため、ボーダー材連設体Ａを第１敷設姿勢（Ｐ）で敷設しつつ、ボーダー部Ｂ近傍領域において余剰部分のボーダー材１をボーダー材連設体Ａの上方から連結部Ｒを介して切断することが可能であり、その場合わせでボーダー材連設体Ａを敷設することができ、割付作業が不要となり、敷設作業の大幅な簡素化を図ることができる。
【００３４】
特に、連結部Ｒの肉厚を前記本体部２の肉厚より薄く設定しているため、連結部Ｒで簡単に切断することができ、好適である。さらに、連結部Ｒが隣接するボーダー材１を屈曲可能に連結するものであるため、ボーダー材連設体Ａを第１敷設姿勢（Ｐ）で敷設しつつ、余剰部分のボーダー材１を上方に折り返すことができ、その場で余剰部分のボーダー材１を連結部Ｒを介して切断することができ、極めて使い勝手に優れたものとなる。
【００３５】
また、第２敷設姿勢（Ｑ）における前記一対のボーダー材１の本体部２間の離間距離を、第１敷設姿勢（Ｐ）における一の前記本体部２の両端に位置する前記連結部Ｒ間の巾に略相当する距離と、一の連結部Ｒを挟んだ一対の本体部２の両端に位置する前記連結部Ｒ間の巾に略相当する距離との間で調節可能に構成しているため、ボーダー部Ｂの大きさが、一の本体部２の両端に位置する連結部Ｒ間の巾より大きく、且つ一の連結部Ｒを挟んだ一対の本体部２の両端に位置する連結部Ｒ間の巾より小さくなるように、ボーダー材連設体Ａを前記第１敷設姿勢（Ｐ）で敷設することにより、このボーダー材連設体Ａの外縁Ａａと壁面Ｈとの隙間を第２敷設姿勢（Ｑ）に敷設した一対のボーダー材１の本体部２間の離間距離を調節することによって確実に埋め得ることができる。
【００３６】
なお、本発明は、以上に詳述した実施形態に限られるものではない。
【００３７】
例えば、上記実施形態においては、第1ボーダー部床面と第２ボーダー部床面とを水平方向に隣接させてボーダー部床面を形成しているが、ボーダー部のスペースに応じて、第１ボーダー部床面又は第２ボーダー部床面それぞれ単独でボーダー部床面を形成してもよい。
【００３８】
また、第１敷設姿勢における脚部の下端から本体部の上面までの高さ寸法を、第２敷設姿勢における本体部の高さ寸法の２以上の整数倍に設定してもよい。その場合には、第１敷設姿勢にあるボーダー材の高さ寸法に合わせて、第２敷設姿勢にあるボーダー材を二段以上に積み重ねることによって、第１敷設姿勢における第１ボーダー部床面と、第２敷設姿勢における第２ボーダー部床面とを略同じ高さ位置にすることができ、第１ボーダー部床面と第２ボーダー部床面との間に段差が生じない。このような一例として、図７及び図８（図８（ａ）は第１敷設姿勢におけるボーダー材連設体の平面図、（ｂ）は同正面図、（ｃ）は同側面図である）に、第１敷設姿勢（Ｐ）における脚部Ｘ３の下端から本体部Ｘ２の上面Ｘ２１までの高さ寸法を、第２敷設姿勢（Ｑ）における本体部Ｘ２の高さ寸法の２倍に設定したボーダー材Ｘ１及びボーダー材連設体ＸＡを示している。なお、同図において前記実施形態と対応する部材には同様の符号を文字頭にＸを付して示している。このボーダー材Ｘ１及びボーダー材連設体ＸＡを敷設する手順は、前記実施形態と略同じであり、先ずボーダー材Ｘ１（ボーダー材連設体ＸＡ）を第１敷設姿勢（Ｐ）で敷設するとともに、ボーダー材連設体ＸＡの外縁ＸＡａと壁面Ｈとの間に形成されるボーダー部Ｂに一対のボーダー材Ｘ１を第２敷設姿勢（Ｑ）で敷設し、本体部Ｘ２間の離間距離を調節する。しかして、この第２敷設姿勢（Ｑ）で敷設したボーダー材Ｘ１の上面に、さらに一対のボーダー材Ｘ１を第２敷設姿勢（Ｑ）で積み重ねて敷設する。これにより、第２敷設姿勢（Ｑ）にある一対のボーダー材Ｘ１のうち、上段側に位置する一対のボーダー材Ｘ１の各脚部Ｘ３における上方を向く面Ｘ３ａと本体部Ｘ２における上方を向く面Ｘ２ａとにより第２ボーダー部床面ＸＢＦ２が形成され、この第２ボーダー部床面ＸＢＦ２と、第１ボーダー部床面ＸＢＦ１とが略面一になる。
【００３９】
また、各突起部を基端部から先端部に亘って同一巾で突出するものとし、これら突起部間に形成される開口部の開口巾を、第２敷設姿勢において他方のボーダー材の突起部が挿入し得る範囲で突起部の突出方向に沿って同一寸法となるように設定してもよい。より具体的には、例えば、開口部の開口巾を、突起部の巾より僅かに大きく設定したものが好ましい。このようなものであれば、第２敷設姿勢にある一対のボーダー材を水平方向に相対移動させる際、各ボーダー材の開口部が、他方のボーダー材の突起部の移動を案内するガイド部として機能し、第２敷設姿勢にある一対のボーダー材同士の相対移動をよりスムーズに行うことができるとともに、これら一対のボーダー材の嵌合状態をより良好なものとすることができる。
【００４０】
また、連結部としては、ボーダー材同士の接続部位を厚み方向に貫通する切り込み部（スリット）と少なくとも一部に厚み方向に貫通していない部分を有した接続部とを互い違いに連続させてなる概略ミシン目状のものや、スリットの両端部に、前記接続部を設けたものであってもよい。
【００４１】
さらに、各ボーダー材は概略直方体状のものに限られず、例えば概略立方体状のものであってもよい。このようなボーダー材を水平方向に縦横に連結部を介して複数列配設することによりボーダー材連設体を構成してもよい。このようなものであれば、ボーダー部に柱等がある場合には、ボーダー材連設体を連結部で相互に直交する方向に切断して、その柱に添接させるようにボーダー材連設体の大きさを設定することができ、さらに実用性に富むものとなる。
【００４２】
また、前記実施形態においては、屋内床面形成部材としていわゆる置敷タイプの床パネルを用いたが、屋内床面形成部材として、例えば建築床面上に置かれた支持脚に支持され建築床面から所定距離離間した状態で敷設されるタイプのもの、すなわち支持脚を介して建築床面上に間接的に敷設されるタイプのものを用いても構わない。
【００４３】
その他、各部の具体的構成についても上記実施形態に限られるものではなく、本発明の趣旨を逸脱しない範囲で種々変形が可能である。
【図面の簡単な説明】
【００４４】
【図１】本発明の一実施形態に係るボーダー材連設体並びにボーダー材を建築床面上に敷設した状態を示す全体斜視図。
【図２】図１の要部を一部省略して示す拡大斜視図。
【図３】第１敷設姿勢で敷設した同実施形態に係るボーダー材連設体の三面図。
【図４】図２において第２敷設姿勢で一対のボーダー材を敷設する前の状態を示す図。
【図５】第２敷設姿勢で敷設した同本実施形態に係るボーダー材の作用説明図。
【図６】図１の一部を省略して示す平面図。
【図７】同実施形態の変形例に係るボーダー材及びボーダー材連設体を図２に対応させて示す図。
【図８】同実施形態の変形例に係るボーダー材連設体を図３に対応させて示す図。
【符号の説明】
【００４５】
１…ボーダー材
２…本体部
２１…上面
３…脚部
３１…突起部
３２…開口部
Ａ…ボーダー材連設体
Ｂ…ボーダー部
ＢＦ…ボーダー部床面
ＢＦ１…第１ボーダー部床面
ＢＦ２…第２ボーダー部床面
Ｐ…屋内床面形成部材（床パネル）
Ｐａ…外縁
ＩＦ…屋内床面
Ｆ…建築床面
Ｈ…壁面
Ｒ…連結部
（Ｐ）…第１敷設姿勢
（Ｑ）…第２敷設姿勢
【図１】
2005256572.tif 000003
【図２】
2005256572.tif 000004
【図３】
2005256572.tif 000005
【図４】
2005256572.tif 000006
【図５】
2005256572.tif 000007
【図６】
2005256572.tif 000008
【図７】
2005256572.tif 000009
【図８】
2005256572.tif 000010